(57)【要約】【課題】一枚のシートから構成され、リバーシブルに使用でき、額下と顔側面にあたる白差しを遮ることができ、必要な時すぐに使用できる携帯に便利な、頭部装着部のない手庇の補助となるサンバイザーを提供する。【解決手段】シート状の材料から打ち抜いて、頭部装着部を設けずサンバイザー主部１ａとサンバイザー延長部１ｂでサンバイザー本体１となる庇のみの形態で、折り線８、もしくは折り線９で折り曲げ立体的に組み立て、装着者の額下と顔側面にあたる日差しを遮ることができ、リバーシブルに使用することにより、装着者はそれまでの反対方向から差す日差しを遮ることができ、手庇の補助となる。折り線８、もしくは折り線９で折りたたむことにより、コンパクトな収納状態と、うちわになり、携帯に便利な状態になり、うちわで暑さをしのぐ手段となる。【選択図】図１
2014088651.tif 000002
【特許請求の範囲】
【請求項１】
一枚のシート状の材料から打ち抜いて構成したものであって、サンバイザー主部１ａの片側にサンバイザー延長部１ｂを設け、サンバイザー主部１ａとサンバイザー延長部１ｂの２つの部で１つのサンバイザー本体１となり、サンバイザー本体１となる庇のみの形態でなることを特徴とするサンバイザー。
【請求項２】
サンバイザー本体１の中心である中心点１０を含むサンバイザー本体１の中央に位置する折り線８、もしくは折り線９を設けたことを特徴とする請求項１に記載のサンバイザー。
【請求項３】
装着者額接触部の曲線２、３の曲線は同じ曲がり具合と長さであり、サンバイザー先端部の曲線４、５は同じ曲がり具合と長さであり、装着者額接触部の曲線端６、７は角丸状の形であることを特徴とする請求項１、２記載のサンバイザー。
【発明の詳細な説明】
【技術分野】
【０００１】本発明はサンバイザーの分野に関し、サンバイザー部を頭部に固定する手段のクラウンのある帽子、バンド部、ベルト部、ゴム紐部、鉢巻部等（以下「頭部装着部」という）を設けていないサンバイザー本体となる庇のみの形態でなることを特徴とし、サンバイザーにサンバイザー延長部を設けることを特徴とする手庇補助サンバイザー兼うちわに関するものである。
【背景技術】
【０００２】これまでのサンバイザーは頭部装着部と１つのサンバイザー部で構成されていた。【０００３】片手をサンバイザーがわりに顔面上にかざし日差しを遮り手庇とする方法がとられた。
【先行技術文献】
【特許文献】
【０００４】
【特許文献１】実用新案公開平６−４０２７号公報
【発明の概要】
【発明が解決しようとする課題】
【０００５】従来のサンバイザーは、頭部装着部で髪型を押さえ付けるので、髪型がつぶれたり、ふんわりセットされた髪型が崩れたりし、そのため片手をサンバイザーがわりに顔面上にかざし日光を遮り手庇とする方法をとり、サンバイザーをかぶることを避けて、うっかり日焼けをすることがあり、また頭部装着部とサンバイザー部がかさばり携帯と収納に不便であり、またサンバイザー部は装着者の顔の側面にあたる日差しを遮ることができなかった。本発明は以上の問題点を解決するためになされたものである。
【課題を解決するための手段】
【０００６】上記課題を解決するために、本発明のサンバイザーは以下の構成から成り、一枚のシート状の材料から打ち抜いて構成したものであり、サンバイザー主部１ａの片側に、サンバイザー延長部１ｂを設けて、サンバイザー主部１ａとサンバイザー延長部１ｂの２つの部でサンバイザー本体１となり、サンバイザー本体１の庇のみの形態でなり、頭部装着部を設けない。【０００７】折り線８を設け、折り線８を折り曲げ、または折り線８を中心に湾曲させ、サンバイザー本体１を立体的に組み立てる手段をとる。【０００８】折り線８でサンバイザー本体１を半分に折り曲げ、または折り線８を中心に湾曲させ、サンバイザー主部１ａとサンバイザー延長部１ｂの一部分を重ね合わすことにより、コンパクトに折りたたみ収納され、またうちわになる。【０００９】装着者額接触部の曲線２、３の曲線は同じ曲がり具合と長さであり、サンバイザー先端部の曲線４、５は同じ曲がり具合と長さであり、装着者額接触部の曲線端６、７は角丸状の形であり、サンバイザー本体１をリバーシブルに裏、表使用できる。
【発明の効果】
【００１０】本発明は一枚のシート状の材料から打ち抜いて構成したものであり、サンバイザー主部１ａの片側に、サンバイザー延長部１ｂを設けて、サンバイザー主部１ａとサンバイザー延長部１ｂの２つの部でサンバイザー本体１となり、サンバイザー本体１のみでなり、装着者の片手でサンバイザー本体１を所持し、装着者の額と顔側面にあてがい使用する方法で使用し、頭部装着部を設けないので、頭部装着部で装着者の髪型を押さえ付け、髪型が崩れることがないサンバイザーである。【００１１】折り線８を設け、折り線８でサンバイザー本体１を半分に折り曲げ、または折り線８を中心に湾曲させ、サンバイザー本体１を立体的に組み立てる手段をとり、装着者の片手でサンバイザー本体１を所持し、サンバイザー主部１ａを装着者の額にあてがい額下の日差しを遮り、延長部１ｂを装着者の顔側面にあてがい顔側面にあたる日差しを遮る方法で使用し、手庇の補助となるサンバイザーである。【００１２】折り線８でサンバイザー本体１を半分に折り曲げ、または折り線８を中心に湾曲させ、サンバイザー主部１ａとサンバイザー延長部１ｂの一部分を重ね合わすことにより、コンパクトに収納でき、携帯しやすいため所持を忘れてうっかり日焼けをすることが避けられ、またうちわになり、うちわを扇ぎ暑さをしのげられる。【００１３】サンバイザー本体１をリバーシブルに裏、表使用することにより、装着者の片手に所持し、装着者の額とそれまでの反対側の顔側面にサンバイザー本体１をあてがうことができ、装着者へそれまでの反対方向から差す日差しを遮ることができる。
【図面の簡単な説明】
【００１４】
【図１】本発明の表面図である。
【図２】本発明の裏面図である。
【図３】本発明の左側断面図である。
【図４】本発明の平面図である。
【図５】本発明のＡ−Ａ’断面図の拡大図である。
【図６】本発明のＢ−Ｂ’断面図の拡大図である。
【図７】折り線８を折り、組み立て状態の斜視図である。
【図８】本発明の使用状態を示す参考図。
【図９】本発明の使用状態を示す参考図。
【図１０】折り線８を折り、収納状態とうちわ状態の正面図である。
【図１１】折り線９を折り、収納状態とうちわ状態の正面図である。
【図１２】糊部分１１を設けた実施例である。
【図１３】糊部分１２を設けた実施例である。
【発明を実施するための形態】
【００１５】図１は本発明の表面図であり、図２は本発明の裏面図であり、サンバイザー本体１は一枚のシート状の材料から打ち抜いて構成したものであり、その材料はＥＶＡシート、紙、布、ボール紙、段ボール紙、印刷紙、合成クラフト紙、合成樹脂、透明な合成樹脂、合成樹脂繊維を編んだもの、硬質塩化ビニール素材、ポリエステルフィルム、ＵＶフィルム、スポンジ等を使用することができ、サンバイザー主部１ａの片側に、サンバイザー延長部１ｂを設けて、サンバイザー主部１ａとサンバイザー延長部１ｂの２つの部でサンバイザー本体１となり、サンバイザー本体１の庇のみの形態でなり、頭部装着部を設けない。
【００１６】サンバイザー本体１の装着者額接触部の曲線２、３部分や、またはサンバイザー本体１の外周に、肌のあたり感を柔らかくするためのゴム、シリコンゴム、布テープ、スポンジ等を取り付けてもよい。
【００１７】サンバイザー本体１の装着者額接触部の曲線２、３は、額に沿うような緩やかな力ーブがあり、サンバイザー本体１のサンバイザー先端部の曲線４、５は、穏やかなカーブがあり、サンバイザー本体１の装着者額接触部の曲線端６、７は、穏やかな角丸状をもたせている。
【００１８】装着者額接触部の曲線２、３の曲線は同じ曲がり具合と長さであり、サンバイザー先端部の曲線４、５は同じ曲がり具合と長さであり、装着者額接触部の曲線端６、７は角丸状の形であり、サンバイザー本体１は図１に示す表面と図２に示す裏面があり、リバーシブルに裏、表使用することにより、装着者がそれまでの反対方向から日差しを浴びる場合、装着者額接触部の曲線２、３があり、サンバイザー先端部の曲線４、５があり、それはすなわちサンバイザー本体１に２つ装着者額接触部の曲線と２つのサンバイザー先端部の曲線を設けているということなので、装着者の片手でサンバイザー本体１を所持し、装着者の額とそれまでの反対側の顔側面にサンバイザー本体１をあてがうことができ、装着者へそれまでの反対方向から差す日差しを遮ることができる。
【００１９】折り線８、もしくは折り線９は、サンバイザー本体１をリバーシブルに裏返し使用するため、山折りと、もしくは谷折りをする。
【００２０】中心点１０は、Ａ−Ａ’間の中央に位置する点であり、中心点１０は、Ｂ−Ｂ’間の中央に位置する点であり、中心点１０は、サンバイザー本体１の中央に位置する点である。中心点１０は実際には表示されない場合もある。
【００２１】Ｂ−Ｂ’間の始点と終点を結ぶ線は折り線８であり、折り線８は中心点１０を含む線であり、中心点１０は折り線８の中央に位置する。Ａ−Ａ’間の中央に位置する中心点１０とＢ−Ｂ’間の中央に位置する中心点は同一であり、中心点１０は折り線８の中央に位置する。サンバイザー本体１の中央に位置する折り線８でサンバイザー本体１を半分に折り曲げることができる。図１、図２に記載された折り線８の線は実際には表示されない場合があり、または図１、図２に記載された折り線８の線は折り筋線の溝である場合もある。
【００２２】図５のようにサンバイザー本体１の折り線８を折り曲げ立体的に組み立てる。立体的に組み立てるとき、折り線８を中心に湾曲させることもできる。図５に表された水平平行状細線は立体表面の形状を特定するためのものであり、実際には表示されない。
【００２３】図６、７は、サンバイザー本体１を折り線８で折り曲げ、装着者の片手でサンバイザー本体１を所持し、サンバイザー本体１が装着者の額下と顔側面にあたる日差しを遮る参考図であり、装着者額接触部の曲線２、３とサンバイザー先端部の曲線のカーブ４、５は装着者が手に握りやすい効果をもたらす。
【００２４】図８は、サンバイザー本体１を折り線８で半分に折り曲げ、ほぼ円形状に折りたたみ、装着者額接触部の曲線端６と装着者額接触部の曲線端７を重ね合わせ、携帯に便利なコンパクトな収納状態とうちわに組み立てた図である。またはサンバイザー本体１の折り線８を中心に湾曲させほぼ円形状に曲げたたみ、装着者額接触部の曲線端６と装着者額接触部の曲線端７を重ね合わせ、携帯に便利なコンパクトな収納状態とうちわに組み立てる手段もある。図８に記載された点線は本発明の一部分によって隠された部分の形状、すなわち、当該方向からは直接には見えない部分の形状を示す線である。
【００２５】折り線９は中心点１０を含む線であり、中心点１０は折り線９の中央に位置する。Ａ−Ａ’間の中央に位置する中心点１０とＢ−Ｂ’間の中央に位置する中心点は同一であり、中心点１０は折り線９の中央に位置する。図１、図２に記載された折り線９の線は実際には表示されない場合があり、または図１、図２に記載された折り線９の線は折り筋線の溝である場合もある。
【００２６】図９は、サンバイザー本体１を折り線９で半分に折り曲げ、扇子状に折りたたみ、サンバイザー先端部の曲線４とサンバイザー先端部の曲線５を重ね合わせ、携帯に便利なコンパクトな収納状態とうちわに組み立てた図である。またはサンバイザー本体１の折り線９を中心に湾曲させほぼ扇子状に曲げたたみサンバイザー先端部の曲線４とサンバイザー先端部の曲線５を重ね合わせ、携帯に便利なコンパクトな収納状態とうちわに組み立てる手段もある。図９に記載された点線は本発明の一部分によって隠された部分の形状、すなわち、当該方向からは直接には見えない部分の形状を示す線である。
【００２７】サンバイザー本体１のサンバイザー主部１ａとサンバイザー延長部１ｂは、中心点１０を中心にした回転対称形状である。折り線８、もしくは折り線９は中心点１０を含み、折り線８、もしくは折り線９でサンバイザー本体１を半分に折り曲げることができ、サンバイザー主部１ａとサンバイザー延長部１ｂは、折り線８、もしくは折り線９で区切ると同じ形状になる。
【実施例】
【００２８】サンバイザー本体１の表面と裏面に、着色や柄を施し、印刷等でロゴ、マーク、キャラクター、広告、販売促進表示等のデザインを施すことができる。【００２９】図１０は、本発明を折り線８で折りたたみうちわに組み立てた実施例で、サンバイザー主部１ａとサンバイザー延長部１ｂが重ね合わさる位置に糊部分１１を設ける。糊部分１１は
2014088651.tif 000003
である。【００３０】図１１は、本発明を折り線９で折りたたみうちわに組み立てた実施例で、サンバイザー主部１ａとサンバイザー延長部１ｂが重ね合わさる位置に糊部分１２を設ける。糊部分１２は
2014088651.tif 000004
である。【００３１】折り線９を設け、折り線９を折り曲げ、または折り線９を中心に湾曲させ、サンバイザー本体１を立体的に組み立てる手段をとることができる。【００３２】折り線８は、サンバイザー本体１を半分に折る線で、サンバイザー本体１を半分に折ったとき、装着者額接触部の曲線端６、７の一部分同士が重なり合うようになる形体になる線である。【００３３】折り線９は、サンバイザー本体１を半分に折る線で、サンバイザー本体１を半分に折ったとき、サンバイザー先端部の曲線２、３の一部分同士が重なり合うようになる形体になる線である。
【符号の説明】
【００３４】１          サンバイザー本体
１ａ        サンバイザー主部
１ｂ        サンバイザー延長部
２、３      装着者額接触部の曲線
４、５      サンバイザー先端部の曲線
６、７      装着者額接触部の曲線端
８、９      折り線
１０        中心点
１１、１２  糊部分
【図１】
2014088651.tif 000005
【図２】
2014088651.tif 000006
【図３】
2014088651.tif 000007
【図４】
2014088651.tif 000008
【図５】
2014088651.tif 000009
【図６】
2014088651.tif 000010
【図７】
2014088651.tif 000011
【図８】
2014088651.tif 000012
【図９】
2014088651.tif 000013
【図１０】
2014088651.tif 000014
【図１１】
2014088651.tif 000015
【図１２】
2014088651.tif 000016
【図１３】
2014088651.tif 000017